(57)【特許請求の範囲】
【請求項１】
壁面が樹脂で形成され前方に開口部を有する洗浄槽と、樹脂で形成され食器類を洗浄する洗浄水を噴射する固定ノズルと、前記洗浄槽内の下部に設けられ食器類を収納する主カゴと、前記主カゴの後方上方に配され前記主カゴの左右方向略１／２の大きさで食器類を収納する副カゴと、前記洗浄槽の側面後方と背面側との２箇所に設けられ前記副カゴの後端を回転支点として支持する複数の支持部材とを備え、前記支持部材の一方と前記洗浄槽の側面の壁面とを樹脂で一体に形成するとともに前記支持部材の他方と前記固定ノズルとを樹脂で一体に形成し、前記固定ノズルを前記洗浄槽の背面内面の左右方向の略中間地点に設けて、前記副カゴを、前記２箇所の支持部材を回動支点として上下方向に回動自在とした食器洗い機。
【請求項２】
副カゴの前後方向の幅を、主カゴの前後方向の幅の１／２以下になるように構成した請求項１に記載の食器洗い機。
【発明の詳細な説明】
【技術分野】
【０００１】
本発明は、洗浄水をカゴにセットした食器類に噴射して洗浄する食器洗い機に関するものである。
【背景技術】
【０００２】
従来の一般的な食器洗い機について、図４〜６を用いて説明する。
【０００３】
図４、５において、従来の食器洗い機は、前面に開口部１ａをもつ洗浄槽１と、開口部１ａを開閉する扉２を有し、洗浄槽１の底部中央に洗浄水を噴射するノズル３が設けられ、洗浄槽１内には、食器類１０を収容するカゴとして、上段カゴ４と下段カゴ５とが設けられている。扉２を開けている時には、下段カゴ５は、扉２と洗浄槽１との間を前後方向
に引き出し移動可能である。上段カゴ４は、洗浄槽１内の壁面に設けられたレール部６によって、前後方向に移動自在に支持されている。
【０００４】
また、下段カゴ５上の中央付近には小物入れ７が固定され、洗浄槽１の底部には洗浄水を温水にするときなどに使用されるヒータ８が、洗浄槽１の下部の外側には、洗浄ポンプ９がそれぞれ設けられている。なお、食器類１０は、上段カゴ４、下段カゴ５にセットされ、小物入れ７には、スプーン、フォーク等のカトラリーの小物類１１がセットされ、洗浄槽１内の下部には、排水口１２が設けられている。
【０００５】
また、図６に示すように、洗浄槽１内に、上段カゴ４を前後方向に移動させるレール部６を上下に複数設けている食器洗い機もある。本図では、上下に３箇所にレール部６を設けた食器洗い機の例を示している（例えば、特許文献１参照）。
【０００６】
次に、上記従来の食器洗い機の動作について説明する。
【０００７】
先ず、扉２を開いて、扉２上に下段カゴ５を引き出して食器類１０と小物入れ７に小物類１１をセットする動作と、上段カゴ４を前方に引き出して食器類１０をセットする動作を行う。
【０００８】
また、図６に示すように、レール部６を上下に３箇所設けている食器洗い機では、食器類１０のセット前に、食器類１０の大きさによって、レール部６をセレクトし、上段カゴ４を上下に移動させる。すなわち、食器類１０の大きさにより３段階の高さ調整が可能である。例えば、下段カゴ５にセットする食器類１０が大きい場合は、上段カゴ４を一番上のレール部６に支持させると良い。
【０００９】
そして、洗浄槽１内の洗浄水は、ヒータ８によって温水化され、洗浄ポンプ９にて洗浄槽１内の排水口１２から吸い込まれ、ノズル３に圧送され、ノズル３より勢いよく食器類１０に向けて噴射される。なお、ノズル３は回転しながら、洗浄水を噴射する。このようにして、上段カゴ４、下段カゴ５にセットされた食器類１０、小物入れ７にセットされた小物類１１が洗浄される。
【特許文献１】特開２００４−３２１２８３号公報
【発明の開示】
【発明が解決しようとする課題】
【００１０】
しかしながら、上記従来の食器洗い機の構成では、上段カゴ４、下段カゴ５とも、セットできる食器類１０の大きさは決まっている。そのため、直径の大きい皿類や鉢類、全長の長いコップ類などの食器類１０をセットするとき、セットスペースより大きい食器は、セットできないという課題を有していた。
【００１１】
仮に、食器類１０のセットスペースを広く確保する手段として、洗浄槽１を大きくすると、食器洗い機本体が大きくなり、食器洗い機が台所の流し台等に設置できないという問題を起こすので、大きい食器類１０のセット対応のため、一概に洗浄槽１を大きくする手段は良くない。
【００１２】
また、従来の食器洗い機において、上段カゴを上下する食器洗い機も見られるが、上段カゴを上下動させるために、上段カゴの両端に、上下にレール部を複数設けているものが多く、そのため、かえって、セットスペースが小さくなったり、上段カゴの上下動の機構にコストがかかるという問題が生じていた。しかも、食器類の大きさによって、上段カゴを上下動させる手間がかかり、かえって食器類をセットする時間がかかり、セット性も悪くなるという課題を有していた。
【００１３】
本発明は、上記従来の課題を解決するもので、洗浄槽を大きくすること無く、安価で簡単な構造で、カゴを上下方向に回動させて、直径の大きい皿類や鉢類、全長の長いコップ類等の食器類をセットするセットスペースを確保して、食器類のセット性に優れた食器洗い機を提供することを目的としている。
【課題を解決するための手段】
【００１４】
上記従来の課題を解決するために、本発明の食器洗い機は、壁面が樹脂で形成され前方に開口部を有する洗浄槽と、樹脂で形成され食器類を洗浄する洗浄水を噴射する固定ノズルと、前記洗浄槽内の下部に設けられ食器類を収納する主カゴと、前記主カゴの後方上方に配され前記主カゴの左右方向略１／２の大きさで食器類を収納する副カゴと、前記洗浄槽の側面後方と背面側との２箇所に設けられ前記副カゴの後端を回転支点として支持する複数の支持部材とを備え、前記支持部材の一方と前記洗浄槽の側面の壁面とを樹脂で一体に形成するとともに前記支持部材の他方と前記固定ノズルとを樹脂で一体に形成し、前記固定ノズルを前記洗浄槽の背面内面の左右方向の略中間地点に設けて、前記副カゴを、前記２箇所の支持部材を回動支点として上下方向に回動自在としたもので、例えば、主カゴの下段カゴのセットスペースに収容できない大きな食器類をセットする場合、副カゴの上
段カゴの前端を、当初の位置より上方向に回動すると、下段カゴ内のセットスペースが大きくなり、当初の位置より下方向に回動させると、上段カゴのセットスペースが大きくなる。よって、当初の上段カゴ、下段カゴのセットスペースに収容できない大きな食器類もセットできるようになり、洗浄槽を大きくしなくても、食器類のセット性が著しく向上するものである。しかも、一方の支持部材と洗浄槽の壁面を樹脂で一体に形成するとともに他方の支持部材と固定ノズルとを樹脂で一体に形成しているため、支持部材の新たな金型費用、組立てコストも発生しない。よって、簡単で安価な構成で食器類のセット性を向上させることができるものである。
【発明の効果】
【００１５】
本発明の食器洗い機は、洗浄槽を大きくすること無く、安価で簡単な構成で、洗浄槽の壁面に設けた支持部材で副カゴの後端を回動自在に支持しているので、副カゴの前部を上下方向に回動させることにより、必要とするカゴのセットスペースを大きくでき、食器類のセット性を向上させることができるものである。
【発明を実施するための最良の形態】
【００１６】
第１の発明は、壁面が樹脂で形成され前方に開口部を有する洗浄槽と、樹脂で形成され食器類を洗浄する洗浄水を噴射する固定ノズルと、前記洗浄槽内の下部に設けられ食器類を収納する主カゴと、前記主カゴの後方上方に配され前記主カゴの左右方向略１／２の大きさで食器類を収納する副カゴと、前記洗浄槽の側面後方と背面側との２箇所に設けられ前記副カゴの後端を回転支点として支持する複数の支持部材とを備え、前記支持部材の一方と前記洗浄槽の側面の壁面とを樹脂で一体に形成するとともに前記支持部材の他方と前記固定ノズルとを樹脂で一体に形成し、前記固定ノズルを前記洗浄槽の背面内面の左右方向の略中間地点に設けて、前記副カゴを、前記２箇所の支持部材を回動支点として上下方向に回動自在としたもので、例えば、主カゴの下段カゴのセットスペースに収容できない大きな食器類をセットする場合、副カゴの上段カゴの前端を、当初の位置より上方向に回動すると、下段カゴ内のセットスペースが大きくなり、当初の位置より下方向に回動させると、上段カゴのセットスペースが大きくなる。よって、当初の上段カゴ、下段カゴのセットスペースに収容できない大きな食器類もセットできるようになり、洗浄槽を大きくしなくても、食器類のセット性が著しく向上するものである。しかも、一方の支持部材と洗浄槽の壁面を樹脂で一体に形成するとともに他方の支持部材と固定ノズルとを樹脂で一体に形成しているため、支持部材の新たな金型費用、組立てコストも発生しない。よって、簡単で安価な構成で食器類のセット性を向上させることができるものである。
また、洗浄槽の壁面と一体に形成した支持部材と、固定ノズルと一体に形成した支持部材との組み合わせで、上段カゴの大きさ、位置が変わっても、簡単で安価な構成で形成できるものである。例えば、下段カゴの左右方向の１／２の大きさの上段カゴを洗浄槽の左後方に設けたい場合、洗浄槽の左側面壁に支持部材を設け、固定ノズルを上段カゴの右側に設け、支持部材を構成すれば、簡単な構成で上段カゴの支持部材を構成できるものである。また、洗浄槽の右側面に支持部材を設ければ、使用者が、洗浄槽の右後方に上段カゴの位置を変えることもでき、一層使い勝手も向上するものである。
【００１８】
第２の発明は、特に、第１の発明の副カゴの前後方向の幅を、主カゴの前後方向の幅の
１／２以下になるように構成したもので、上段カゴを支持部材を中心として回動すると、下段カゴの高さ方向のスペースが大きく開く。上段カゴの前後方向の幅が、１／２以上だと回動角度が小さくなるので、下段カゴの高さ方向のスペースが小さくなり、大きな食器類はセットできない。また、従来の食器洗い機では、下段カゴの後方位置に食器類をセットする場合、上段カゴが邪魔になって、食器類をセットし難いという問題があり、下段カゴを手前に引くなどの手間がかかっていたが、本発明は、上段カゴの前後方向の幅が、下段カゴの前後方向の幅の１／２以下なので、使用者が、上段カゴの下の下段カゴに食器類をセットする時、上段カゴが邪魔になって、セットし難いという問題もない。また、下段カゴを手前に引く手間もかからない。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における食器洗い機の側断面図、図２は、同食器洗い機の正面図である。本実施の形態は、従来例とは、上段カゴの形状及び取り付け方法のみが異なるもので、従来例と同一部分については同一符号を付け、その部分の説明を省略する。
【００２１】
図１、２において、本実施の形態における食器洗い機は、食器類１０を収納する主カゴとして、棒状の線材で構成された下段カゴ５と、下段カゴ５の後方、上方に樹脂製の副カゴの上段カゴ１５を設けている。上段カゴ１５の大きさは、左右方向、前後方向とも下段カゴ５の略１／２の大きさである。上段カゴ１５を支持し、回転支点を兼ねる支持部材Ａ１６、Ｂ１７を、それぞれ洗浄槽１の左側面の後方と、洗浄槽１の背面内面の左右方向の略中間地点に設けた固定ノズル１８の壁面の２箇所に設けている。また、洗浄槽１の左側面の前後方向の中間地点に、更に１箇所、上段カゴ１５を支持するための支持部材Ｃ１９を設けている。なお、支持部材Ａ１６、Ｃ１９と洗浄槽１の壁面、支持部材Ｂ１７と固定ノズル１８は、共に樹脂で一体に形成されている。他の構成は、従来例と同一なのでその説明を省略する。
【００２２】
以上のように構成された食器洗い機の上段カゴ１５の使用方法について説明する。
【００２３】
上段カゴ１５の上方向の回転は、回転支点を兼ねる支持部材Ａ１６、Ｂ１７によって行う。回転前の初期位置での上段カゴ１５は、洗浄槽１の壁面と固定ノズル１８の壁面に設けた支持部材Ａ１６、Ｂ１７と、洗浄槽１の側面に設けた支持部材Ｃ１９の３点で支持されている。
【００２４】
本実施の形態では、この状態で、上段カゴ１５に食器類１０をセットする。また、下段カゴ５のセットスペースに収容できない大きな食器類１０をセットする場合は、当初の位置より上段カゴ１５を上方向に回転すると、下段カゴ５内のセットスペースが大きくなる。よって、下段カゴ５のセットスペースに収容できない大きな食器類１０もセットできるようになり、洗浄槽１を大きくしなくても、食器類１０のセット性が著しく向上するものである。
【００２５】
しかも、支持部材Ａ１６、Ｃ１９と洗浄槽１の壁面、支持部材Ｂ１７と固定ノズル１８
を樹脂で一体に形成しているため、支持部材Ａ１６、Ｂ１７、Ｃ１９の新たな金型費用、組立てコストも発生しない。よって、本実施の形態では、簡単で安価な構成で形成できるものである。なお、本実施の形態では、上段カゴ１５を支持部材Ａ１６、Ｂ１７を中心の回転方式にしたが、上下に移動する方式にすれば、上に移動時でも、食器類１０をセットできるものである。
【００２６】
なお、支持部材Ａ１６、Ｂ１７、Ｃ１９を下段カゴ５に構成することも可能であるが、支持部材Ａ１６、Ｂ１７、Ｃ１９を、下段カゴ５の上部で形成するためには、その分下段カゴ５の壁面等を上段カゴ１５の位置まで高くする必要があり、その構成部材や、下段カゴ５のコストが増えるので、この方法は良くない。
【００２７】
また、洗浄槽１の右側面にさらに支持部材を設ければ、使用者が、上段カゴ１５の位置を洗浄槽１の右後方に変えることもでき、一層使い勝手も向上するものである。
【００２８】
また、図３（ａ）に示すように、上段カゴ１５の前後方向の幅を、下段カゴ５の前後方向の幅の略１／２以下としたことにより、上段カゴ１５を支持部材Ａ１６、Ｂ１７を中心として回転すると、上段カゴ１５が、洗浄槽１の後方上部に位置するので、下段カゴ５の高さ方向のスペースが大きく開く。また、食器類１０の多くは、略円形状のため、洗浄槽１の後方上部は、セットスペースとしては必要ない。よって、大きな食器類１０がセットできるものである。なお、図３（ｂ）に示すように、上段カゴ１５の前後方向の幅が、下段カゴ５の前後方向の幅の１／２以上だと、上段カゴ１５の回転角度が小さくなるので、下段カゴ５の高さ方向のスペースが小さくなり、大きな食器類１０はセットできない。
【００２９】
しかし、本実施の形態では、上段カゴ１５の左右方向の幅も下段カゴ５の幅の約１／２なので、上段カゴ１５と反対側の下段カゴ５の上部は、大きくスペースが開き、より大きな食器類１０がセットできるというメリットも生じるものである。
【００３０】
また、従来の前方に開口部１ａを有する食器洗い機では、使用者が、下段カゴ５の後方位置に食器類１０をセットする場合、上段カゴ４が邪魔になって、食器類１０をセットし難いという問題があり、下段カゴ５を手前に引くなどの手間がかかっていたが、本実施の形態では、上段カゴ１５の前後方向の幅が、下段カゴ５の前後方向の幅の１／２以下なので、使用者が、上段カゴ１５の下の下段カゴ５に食器類１０をセットする場合、上段カゴ１５が邪魔になって、セットし難いという問題もない。
【００３１】
また、下段カゴ５を手前に引く手間もかからないというメリットも生じるものである。なお、本実施の形態は、前方に開口部１ａを有する食器洗い機において特に有用である。
【００３２】
以上のように本実施の形態によれば、洗浄槽１を大きくしなくても、簡単な構造で、副カゴの上段カゴ１５を回転でき、当初の下段カゴ５のセットスペースに収容できないような大きな食器類１０も容易にセットできるようになる。それ故に、食器類１０のセット性が大幅に向上するものである。しかも、支持部材Ａ１６、Ｂ１７、Ｃ１９と洗浄槽１の壁面を樹脂で一体に形成しているため、支持部材Ａ１６、Ｂ１７、Ｃ１９の新たな金型費用、組立てコストも発生しない。よって、簡単で安価な構成で形成できるものである。
【産業上の利用可能性】
【００３３】
以上のように、本発明に係る食器洗い機は、洗浄槽を大きくしなくても、コストをかけず簡単な構造で、カゴを上下動させることができるので、食器類、小物類等のセット性が大幅に向上するもので、家庭用、業務用食器洗い機に適用できるものである。
【図面の簡単な説明】
【００３４】
【図１】本発明の実施の形態１における食器洗い機の側断面図
【図２】同食器洗い機の正面図
【図３】（ａ）同食器洗い機の上段カゴの動作を示す動作図、（ｂ）同食器洗い機に幅の大きな上段カゴを取り付けた例を示す図
【図４】従来の食器洗い機の側断面図
【図５】同食器洗い機の正面図
【図６】従来の食器洗い機の他の例を示す正面図
【符号の説明】
【００３５】
１    洗浄槽
５    下段カゴ（主カゴ）
１０  食器類
１５  上段カゴ（副カゴ）
１６  支持部材Ａ（支持部材）
１７  支持部材Ｂ（支持部材）
１８  固定ノズル
１９  支持部材Ｃ（支持部材）
【図１】
0004720591.tif 000002
【図２】
0004720591.tif 000003
【図３】
0004720591.tif 000004
【図４】
0004720591.tif 000005
【図５】
0004720591.tif 000006
【図６】
0004720591.tif 000007